(57)【特許請求の範囲】
【請求項１】
一つの特定の葉部の周囲に、該特定の葉部を囲むようにして２以上の比較的細い断面の側設葉部を連設してなる多葉型断面を有するモノフィラメントの先端部を溶解処理によって多葉型断面の各葉部ごとにテーパー状の分岐毛を形成した刷毛を植毛してなる歯ブラシ。
【請求項２】
前記多葉型断面を構成する葉部の数を３〜５個に設定してなる請求項１記載の歯ブラシ。
【請求項３】
前記モノフィラメントが、前記特定の葉部と該葉部から半径方向均等に膨出する４個の前記側設葉部とからなる５葉の断面を有し、前記刷毛が、前記特定の葉部から１本の長寸分岐毛を形成し、その周辺に前記４個の側設葉部から形成され均等に配置される４本の短寸分岐毛を形成してなる請求項１又は２記載の歯ブラシ。
【請求項４】
前記モノフィラメントが、前記特定の葉部と該葉部の両側に膨出する２個の前記側設葉部とからなる３葉の断面を有し、前記刷毛が、前記特定の葉部から１本の長寸分岐毛を形成し、前記２個の側設葉部から２本の短寸分岐毛を形成してなる請求項１又は２記載の歯ブラシ。
【請求項５】
前記短寸分岐毛の長さを、長寸分岐毛の長さの１／１０〜２／３の範囲に設定してなる請求項３又は４記載の歯ブラシ。
【請求項６】
前記特定の葉部および前記側設葉部が、それぞれ断面視円形である請求項１〜５の何れか１項に記載の歯ブラシ。
【請求項７】
前記側設葉部を、前記特定の葉部に対して薄肉の接合部で連設してなる請求項１〜６の何れか１項に記載の歯ブラシ。
【発明の詳細な説明】
【０００１】
【発明の属する技術分野】
本発明は、歯ブラシの技術に係わり、更に詳しくは、刷毛の歯間部への進入性と歯牙表面の刷掃効果を高めるとともに歯肉を傷めず、しかも毛腰が強く刷掃実感を高め、更に耐久性を高めた歯ブラシに関する。
【０００２】
【従来の技術】
歯ブラシの刷毛の歯間への進入性をよくする方法として、モノフィラメントの切断片を薬剤処理により両端に先鋭部を形成してその中央部を折り曲げて植毛部に植毛してなる歯ブラシが実開平５−１５８３４号公報に示されている。この歯ブラシは、刷毛の基端側から先端に向けて細くなる先鋭のテーパーを付けるものであるが、テーパーの先細り効果で毛腰が弱くなり歯牙表面の刷掃効果が低下して刷掃実感も乏しくなるばかりでなく、耐久性も低下するといった欠点がある。
【０００３】
この欠点を解消するため、刷毛の径を太くして剛性と耐久性を増加させることが考えられるが、そうすると刷毛の毛腰が強くなり過ぎて毛先が歯肉を傷めるとともに歯間や歯周ポケットへの挿入性が低下するといった問題が発生する。また、特開昭５８−１５８１２号公報や特開昭６０−８８１１０号公報に示されるように、刷毛を異形断面の形状にしたものでは、刷掃効果を改善することができるが、耐久性の低下の問題が解決されていない。
【０００４】
一方、特開２００１−１６９８２７号公報には、刷毛先端が複数の分岐毛に分岐され各分岐毛が先鋭なテーパー状とされた刷毛を植毛した歯ブラシが示されている。ここで、前記刷毛の分岐毛は、クローバー型断面をしたフィラメントを加水分解薬剤中に浸漬して作られるが、各分岐毛となるフィラメント部分の断面形状が同じであるので、必然的に各分岐毛の長さが同じになる。そのため、各分岐毛の毛先が歯牙表面に干渉して歯間への進入は浅い領域に留まり、歯間の奧や臼歯先端の深いくぼみや歯周ポケットへの毛先の進入が不十分となり、十分な刷掃効果は期待できない。
【０００５】
【発明が解決しようとする課題】
前述の状況に鑑み本発明が解決しようとするところは、刷毛の歯間や歯周ポケットへの挿入性と刷掃性にとくに優れた効果を発揮し、刷毛の先端がソフトで歯肉を傷めず、しかも適度な毛腰の強さを備え歯牙表面の凹凸部に対して良好な刷掃効果を有し、刷掃実感が高く且つ耐久性に優れた歯ブラシを提供する点にある。
【０００６】
【課題を解決するための手段】
前述の課題解決のため、本発明は、一つの特定の葉部の周囲に、該特定の葉部を囲むようにして２以上の比較的細い断面の側設葉部を連設してなる多葉型断面を有するモノフィラメントの先端部を溶解処理によって多葉型断面の各葉部ごとにテーパー状の分岐毛を形成した刷毛を植毛してなる歯ブラシを構成した。
【０００７】
溶解処理は、たとえば所定長さに切断した多数の前記モノフィラメントを、耐アルカリ性のフィルムを巻いて束ね、それをアルカリ性の溶解液に浸漬すると、切断端部から浸入した溶解液によって切断端部近傍が溶解し、多葉型断面の各葉部ごとに複数に分岐するとともに、先鋭なテーパー状の分岐毛が形成される。ここで、溶解液によるモノフィラメントの各部に対する溶解速度は略一定で、減肉速度も略一定であるので、前記特定の葉部が先鋭なテーパー状の分岐毛になったときには、断面積が小さい側設葉部はそれよりも短い先鋭なテーパー状の分岐毛になるのである。即ち、最も太い分岐毛に対して他の細い分岐毛は短くなり、一本の刷毛において分岐毛の長さが一様でなくなる。その結果、基部が多葉型断面で先端に先鋭テーパー状の複数の分岐毛を有する刷毛が形成される。
【０００８】
ここで、前記多葉型断面を構成する葉部の数を３〜５個に設定することが好ましい。より具体的には、前記モノフィラメントが、前記特定の葉部と該葉部から半径方向均等に膨出する４個の前記側設葉部とからなる５葉の断面を有し、前記刷毛が、前記特定の葉部から１本の長寸分岐毛を形成し、その周辺に前記４個の側設葉部から形成され均等に配置される４本の短寸分岐毛を形成してなるものも好ましい。また、前記モノフィラメントが、前記特定の葉部と該葉部の両側に膨出する２個の前記側設葉部とからなる３葉の断面を有し、前記刷毛が、前記特定の葉部から１本の長寸分岐毛を形成し、前記２個の側設葉部から２本の短寸分岐毛を形成してなるものも好ましい。
【０００９】
前記短寸分岐毛の長さは、長寸分岐毛の長さの１／１０〜２／３の範囲であることが好ましい。短寸分岐毛の長さが、長寸分岐毛の長さの１／１０よりも短い場合には、短寸分岐毛による刷掃効果に乏しく、２／３よりも長いと、分岐毛の長さを一様でなくした効果を十分に発揮できない。
【００１０】
前記特定の葉部および前記側設葉部は、それぞれ断面視円形であることが好ましく、また、前記側設葉部は、前記特定の葉部に対して薄肉の接合部で連設したものが好ましい。本発明では、分岐毛を有する刷毛を植毛部の一部に植毛し、他の部分には通常の刷毛を植毛したり、分岐毛を有する刷毛を全体に植毛したり、あるいは通常の刷毛と混在させて植毛したり、異種の分岐毛を有する刷毛を混在させて植毛することも可能であり、使用目的に応じて適宜な配置にすることができる。
【００１１】
【発明の実施の形態】
つぎに本発明の実施の形態を添付図面に基づき更に詳細に説明するが、本発明は添付の図に限定するものではなく、特許請求項に記載の要件を備える様々な実施形態をすべて含むものである。図１から図５に本発明に係る歯ブラシの実施例を示す。図１は本発明の歯ブラシの側面図、図２は図１の歯ブラシの植毛部を拡大して示す部分図、図３は本発明の歯ブラシの柄の先端植毛部に植毛する前の刷毛の１本を拡大して示す図、図４は図３の刷毛の先端部を拡大して示す部分図、図５は図４の刷毛の横断面を示し、（ａ）は基部即ちＡ−Ａ断面図、（Ｂ）は先端分岐毛の中間部即ちＢ−Ｂ断面図、（ｃ）は刷毛を先端側から見た平面図をそれぞれ示している。
【００１２】
図１及び図２において、本発明に係る歯ブラシ１は、柄２と、柄２の先端植毛部３に群立して植毛された刷毛４とで構成される。刷毛４は、植毛状態における毛丈（Ｈ）（図２参照）の約２倍より若干長い寸法（Ｌ）（図３参照）に切断した異形モノフィラメントの両端を、それぞれ図３から図５に示すように複数の長さの異なる先鋭テーパー状の分岐毛に形成してなる。ここで、刷毛４の長さ（Ｌ）は通常約２５ｍｍ〜約３５ｍｍであるが、この範囲に限定するものではない。この刷毛４は、複数本ずつを束にして略中央で折り曲げ、その折り曲げ部を植毛部３に植毛し、図１に示す歯ブラシ１が形成される。
【００１３】
上記の如く形成されてなる歯ブラシ１において、柄２については、図に示す形は一例を示すものであり、これに限定するものではなく様々な形でよい。また、植毛部３の植毛孔の配置についても、図及び上記の説明は一例を示し、これらに限定するものではなく様々な配置形態を採用してよい。また、前述の刷毛４を植毛部３の全体に使用しても、一部に使用してもよく、目的に応じて使い分けできる。
【００１４】
つぎに、上記歯ブラシ１の刷毛４については、図４及び図５に示す以外に断面形状の異なる様々な実施形態がありそれらについては後述する。図の歯ブラシ１の刷毛４は、断面が図５（ａ）に示す如く、太径円形断面の中心葉部１１と、この中心葉部１１の両側に膨出する細径円形断面の２個の側設葉部１２，１２とを、該側設葉部１２の断面最小寸法よりも薄肉の接合部１３を介して連設した３葉の多葉型断面を有するモノフィラメント１０から作られる。刷毛４は、前記モノフィラメント１０を予め歯ブラシの柄２に植毛した状態における刷毛４の毛丈（Ｈ）の約２倍強の長さ（Ｌ）に切断しておき、この切断した多数のモノフィラメント１０を溶解液に対して耐性のあるフィルムを巻いて束ね、それを溶解液に浸漬すると、切断端部から浸入した溶解液によって切断端部近傍が溶解し、多葉型断面の各葉部ごとに複数（図の場合３本）に分岐するとともに、先鋭なテーパー状の分岐毛が形成される。この際、モノフィラメント１０の端部の溶解処理において、溶解度合いは浸漬時間、溶解液濃度、温度のうちの何れか又はそれらを組合わせてコントロールすることにより調節可能であり、分岐点１４から先端側がそれぞれ先鋭のテーパー状をなす分岐毛１１ａ，１２ａ，１２ａとなる。
【００１５】
つまり、刷毛４を構成するモノフィラメント１０の中心葉部１１と側設葉部１２の断面積（即ち太さ）には上記のように差があることにより、細い側設葉部１２からなる分岐毛１２ａは太い中心葉部１１からなる分岐毛１１ａよりも早く溶解して長さが短くなり、且つ各分岐毛は先鋭のテーパー状に形成される。この場合、前記分岐点１４から最長分岐毛１１ａの毛先１１ｂまでの長さ（ｈ）（図３参照）と、長い分岐毛１１ａの長さに対する短い分岐毛１２ａの長さの比は、中心葉部１１と側設葉部１２の直径と接合部１３の肉厚を設定することにより調節可能である。なお、図中符号１２ｂは分岐毛１２ａの毛先を示している。
【００１６】
刷毛４の先端に先鋭のテーパー状の長さの不均一な複数の分岐毛を形成する方法としては、上記の方法によるほか、上記の長さに切断したモノフィラメントの切断片を複数本ずつの束にして、その毛束を歯ブラシの柄２の植毛部３にすべて植毛した後、刷毛先端部の所定の長さ（ｈ）を先端側から順次溶解液に浸漬し、各葉の接合部１３，１３を溶解して複数（図３〜図５の場合３本）に分岐させるとともに、分岐点１４から先端がそれぞれ先鋭のテーパー状となるようにして１本１本の刷毛先端に長さの不均一な分岐毛１１ａ，１２ａ，１２ａを形成する方法でもよい。この際、各葉部の接合部１３が溶解分岐した後に刷毛を溶解液から徐々に引き上げることが好ましい。それにより、各分岐毛は毛先になるほど、溶解液に長時間浸漬されることになる。また、分岐毛を有する刷毛は、溶解速度の異なる材質のものを多色紡糸、溶着、融着、接着により一つのモノフィラメントとしたものを、溶解処理することにより形成してもよい。
【００１７】
つぎに、前記刷毛の材質としては、ポリエステル樹脂、ポリアミド樹脂などを用いることもできるが、本発明の歯ブラシの刷毛に求められる機能と関係のある物性とコストなどの観点からポリブチレンテレフタレート樹脂が最適である。
【００１８】
また、溶解処理に用いる溶解液としては、刷毛の材質に応じて選択した薬剤を用い、刷毛がポリエステル樹脂の場合、カセイソーダ水溶液を用いる。
【００１９】
つぎに、刷毛４の寸法関係についてであるが、刷毛４の分岐点１４から先端の長さ（ｈ）は、植毛状態における刷毛高さ（即ち毛丈）（Ｈ）の１／２以下、望ましくは１／３以下とする一方、刷毛４の分岐点１４よりも基端側つまり溶解処理を施さない部分のモノフィラメント１０の断面積は、モノフィラメントの断面形状などにより異なるが、０．００１〜０．５ｍｍ2とし、通常は０．０１〜０．２ｍｍ2とするのが最適である。刷毛基部の断面積は、０．００１ｍｍ2に満たないと毛腰が弱く刷掃に必要な剛性に欠け、また０．５ｍｍ2を越えると毛が太く細部への挿入性が劣る。そのため、この下限と上限を基準に断面形状や材質など関連要素を勘案して適宜決定する。
【００２０】
つぎに、上記構成からなる本発明の歯ブラシ１の作用を説明する。本発明に係る歯ブラシ１は、各刷毛の先端分岐毛がそれぞれ先鋭のテーパー状となり且つ長さが同じでないため、毛先が歯牙表面に留まることなく、長い分岐毛は歯間や臼歯頂部の深い窪みや歯周ポケットなどへ進入して刷掃する一方、短い分岐毛は歯牙表面とその凹凸部などを刷掃して、複雑な凹凸やスキマが混在する歯列と歯牙表面をすべて余すところ無く刷掃することができる。また本発明に係る歯ブラシの刷毛は、基部は断面積が大きく適度な毛腰を備える一方、先端分岐毛は細く柔軟性に富むため、刷掃力があって刷掃実感に優れるとともに、先端分岐毛は柔軟な特性を有して歯肉に対してソフトに当たり、歯肉を傷めることなく且つ歯周ポケットにもよく進入して刷掃することが可能である。
【００２１】
上記は図４及び図５に示す３葉の多葉型断面のモノフィラメントから成形した刷毛４を用いてなる歯ブラシ１の実施例の説明であるが、この歯ブラシの刷毛とは異なる多葉型断面のモノフィラメントから成形する各種の刷毛を、図６から図１０に例示している。図６から図１０は、各図共通で、（ａ）は異なる多葉型断面の異形モノフィラメントから成形された刷毛１本の先端部の拡大側面図であり、（ｂ）は（ａ）の図の刷毛における基部側即ち非溶解処理部の横断面、（ｃ）は（ａ）の図の刷毛における先端分岐部即ち溶解処理により形成された分岐毛の中間部の横断面、（ｄ）は刷毛を先端側から見た平面図をそれぞれ示している。
【００２２】
それぞれ異なる多葉型断面のモノフィラメントからなる前記の各刷毛は、基部１５が中心葉部１６と１つ以上の側設葉部１７とを、薄肉の接合部１８で連設した多葉型断面で、その先端近傍の分岐点１９から先端側の各葉部の接合部１８が溶解処理によって複数に分岐され、それぞれ先鋭のテーパー状分岐毛１６ａ、１７ａに形成されている。分岐毛１６ａの毛先を１６ｂで示し、分岐毛１７ａの毛先を１７ｂで示している。図６から図１０の各刷毛においては、この符号１５，１６，１６ａ，１６ｂ，１７，１７ａ，１７ｂ，１８，１９をそれぞれ共通して付している。
【００２３】
なお、図６から図１０に示す各刷毛に関し、先端部に複数の長さの異なる先鋭のテーパー状分岐毛を形成する方法、刷毛の基部と先端分岐毛の長さ及び断面積、その刷毛を用いてなる歯ブラシの製法、及びその歯ブラシの作用については、前述の図１から図５に示す実施例における説明と基本的に同じため、共通する事項についての説明は省略する。
【００２４】
図６（ａ）は、中心の太径の円形中心葉部１６とその中心葉部１６から半径方向均等に膨出する４個の細径の円形側設葉部１７，…とからなる５葉の多葉型断面を有するモノフィラメントによって形成される歯ブラシ用の刷毛の先端部を示し、（ｂ）はＣ−Ｃ断面図、（ｃ）はＤ−Ｄ断面図を示す。この刷毛の先端分岐毛は、太径中心葉部１６から形成される１本の長寸分岐毛１６ａと、その周辺に側設葉部１７，…から形成され均等に配置される４本の短寸分岐毛１７ａ，…を有する形態となる。なお、各側設葉部１７，…の断面積を段階的に変えると、４本の短寸分岐毛１７ａ，…の互いの長さを変えることができる。
【００２５】
図７（ａ）は、太径の円形中心葉部１６とその中心葉部１６の片側面に互いに接して膨出する２個の細径の円形側設葉部１７，１７とからなる３葉の多葉型断面を有するモノフィラメントによって形成される参考例としての歯ブラシ用の刷毛を示し、（ｂ）はＥ−Ｅ断面図、（ｃ）はＦ−Ｆ断面図を示す。この刷毛の先端分岐毛は、中心葉部１６から形成される１本の長寸分岐毛１６ａと、その側設葉部１７，１７から形成される２本の短寸分岐毛１７ａ，１７ａを有する形態となる。なお、２つの側設葉部１７，１７の断面積を変えると、２本の短寸分岐毛１７ａ，１７ａの互いの長さを変えることができる。
【００２６】
図８（ａ）は、太径の中心葉部１６とその中心葉部１６の片側面に接して膨出する１個の細径の円形側設葉部１７とからなる２葉の多葉型断面を有するモノフィラメントによって形成される参考例としての歯ブラシ用の刷毛を示し、（ｂ）はＧ−Ｇ断面図、（ｃ）はＨ−Ｈ断面図を示す。この刷毛は最もシンプルな形態で、先端には大径の中心葉部１６からなる長寸分岐毛１６ａと細径の側設葉部１７からなる短寸分岐毛１７ａがそれぞれ１本形成される。
【００２７】
図９（ａ）は、細径の円形中心葉部１６とその中心葉部１６から半径方向均等に膨出する４個の太径の円形側設葉部１７，…とからなる５葉の多葉型断面を有するモノフィラメントによって形成される参考例としての歯ブラシ用の刷毛を示し、（ｂ）はＩ−Ｉ断面図、（ｃ）はＪ−Ｊ断面図を示す。この刷毛の先端分岐毛は、細径の中心葉部１６から形成される１本の短寸分岐毛１６ａと、その周辺に側設葉部１７，…から形成され均等に配置される４本の長寸分岐毛１７ａ，…を有する形態となる。
【００２８】
この図９の参考例に示す形の変形として、図示は省略するが、各側設葉部１７，…の断面積を段階的に変えると４本の長寸分岐毛１７ａ，…の互いの長さを変え且つ基部１５の剛性を変えて毛腰の異なる刷毛を作ることができる。
【００２９】
図９の参考例に示す刷毛の別の変形としては、図示は省略するが、細径の中心葉部１６の周辺に３個または５個の太径の側設葉部１７，…を均等に配置してなる４葉または６葉の多葉型断面のモノフィラメントを用いることも可能である。
【００３０】
図１０（ａ）は、細径の円形中心葉部１６とその中心葉部１６の両側面に膨出する２個の太径の円形側設葉部１７，１７とからなる３葉の多葉型断面を有するモノフィラメントによって形成される参考例としての歯ブラシ用の刷毛を示し、（ｂ）はＫ−Ｋ断面図、（ｃ）はＬ−Ｌ断面図を示す。この刷毛の先端分岐毛は、中心に中心葉部１６から形成される１本の短寸分岐毛１６ａと、その両側に側設葉部１７，１７から形成される均等配置の２本の長寸分岐毛１７ａ，１７ａを有する形態で、図４及び図５における中心葉部１１と両側の側設葉部１２，１２のそれぞれの断面積の大きさを逆にした形態である。
【００３１】
一方、上述の多葉型断面を有するモノフィラメントの各図とそれに関連する説明において、中心葉部１１，１６及び側設葉部１２，１７の断面形状をいずれも円形としているが、円形に限らず、楕円形、三角形、四角形、菱形、多角形、その他種々の形状でよい。要するに、中心葉部１１，１６と側設葉部１２，１７が互いに異なる大きさの断面を有し、その両者の接合部１３，１８がくびれて溶解処理時に接合部１３，１８が容易に溶解して離れやすく、且つ先鋭のテーパー形状の複数の分岐毛が容易に形成可能な形であればよい。
【００３２】
【発明の効果】
本発明に係る歯ブラシは、各刷毛の先端分岐毛がそれぞれ先鋭のテーパー状となり且つ長さが同じでないため、毛先が歯牙表面に留まることなく歯間部への進入性に優れ、且つ歯牙表面の凹凸部はもちろん臼歯先端のくぼみなどに対しても良好な刷掃効果を有する。また本発明に係る歯ブラシの刷毛は、基部は断面積が大きく適度な毛腰を備える一方先端分岐毛は細く柔軟性に富むため、刷掃実感に優れるとともに歯肉を傷めず且つ歯周ポケットにも進入して刷掃するといった、一般には両立困難な目的を共に満たすことが可能である。
【００３３】
また、異形の多葉型断面を有するモノフィラメントの先端部を溶解処理により先鋭のテーパー状で長さの異なる分岐毛を形成するのは、各葉部の断面積や形状に応じ溶解による減肉によって残る部分の断面積や形状が異なることを利用すると他の方法よりも所望の分岐毛を簡単に形成できるとの理由によるが、分岐毛に細く短い毛と太く長い毛が混在する結果、歯間部のスキマや歯牙表面の凹凸の細大に関係なく刷掃効果を発揮するという効果が得られる。またこの刷毛は、多葉型断面の外接円と同じ径の円形断面のモノフィラメントに比べ、密度が低く毛腰が必要以上に強くならず半径方向の締め付け変形にも柔軟に対応可能なため、曲げにも圧縮にも柔軟性があり、適度な腰の強さが得られるとともに植毛作業が容易で植毛部の保持効果を向上させ安定保持できる利点がある。
【図面の簡単な説明】
【図１】本発明に係る歯ブラシの実施例の側面図である。
【図２】図１の歯ブラシの植毛部を拡大して示す側面図である。
【図３】図１の歯ブラシに植毛する刷毛で、３葉の異形モノフィラメントからなる刷毛１本を拡大して水平にして示す側面図である。
【図４】図３の刷毛を垂直にしてその先端部を拡大して示す側面図である。
【図５】図４における刷毛の横断面を示し、（ａ）はＡ−Ａ拡大断面図、（ｂ）はＢ−Ｂ拡大断面図、（ｃ）は刷毛を先端側から見た拡大平面図である。
【図６】５葉の異形モノフィラメントからなる刷毛１本の先端部を示し、（ａ）は側面図、（ｂ）はＣ−Ｃ拡大断面図、（ｃ）はＤ−Ｄ拡大断面図、（ｄ）は刷毛を先端側から見た拡大平面図である。
【図７】  参考例に係る別の３葉の異形モノフィラメントからなる刷毛１本の先端部を示し、（ａ）は側面図、（ｂ）はＥ−Ｅ拡大断面図、（ｃ）はＦ−Ｆ拡大断面図、（ｄ）は刷毛を先端側から見た拡大平面図である。
【図８】  参考例に係る２葉の異形モノフィラメントからなる刷毛１本の先端部を示し、（ａ）は側面図、（ｂ）はＧ−Ｇ拡大断面図、（ｃ）はＨ−Ｈ拡大断面図、（ｄ）は刷毛を先端側から見た拡大平面図である。
【図９】  参考例にかかる５葉の異形モノフィラメントからなる刷毛１本の先端部を示し、（ａ）は側面図、（ｂ）はＩ−Ｉ拡大断面図、（ｃ）はＪ−Ｊ拡大断面図、（ｄ）は刷毛を先端側から見た拡大平面図である。
【図１０】  参考例にかかる３葉の異形モノフィラメントからなる刷毛１本の先端部を示し、（ａ）は側面図、（ｂ）はＫ−Ｋ拡大断面図、（ｃ）はＬ−Ｌ拡大断面図、（ｄ）は刷毛を先端側から見た拡大平面図である。
【符号の説明】
１  歯ブラシ
２  柄
３  植毛部
４  刷毛
１０  モノフィラメント
１１  中心葉部
１１ａ  分岐毛
１１ｂ  毛先
１１ａ      分岐毛
１２  側設葉部
１２ａ  分岐毛
１２ｂ  毛先
１３  接合部
１４  分岐点
１５  基部
１６  中心葉部
１６ａ  分岐毛
１６ｂ  毛先
１７  側設葉部
１７ａ  分岐毛
１７ｂ  毛先
１８  接合部
１９  分岐点
【図１】
0004013553.tif 000002
【図２】
0004013553.tif 000003
【図３】
0004013553.tif 000004
【図４】
0004013553.tif 000005
【図５】
0004013553.tif 000006
【図６】
0004013553.tif 000007
【図７】
0004013553.tif 000008
【図８】
0004013553.tif 000009
【図９】
0004013553.tif 000010
【図１０】
0004013553.tif 000011